(57)【要約】【課題】  壁裏配管の裏側への突出寸法を抑えて、ユニットバスと建築躯体との隙間が狭くても、壁付水栓を設置できる壁パネルを提供する。【解決手段】  裏面に石膏ボード等の裏打ち１ｂが設けられている壁パネル１において、両端が壁を貫通する壁裏配管６が通る裏面の部分には裏打ち１ｂを設けず、代わりにコの字型の薄板補強９を設け、この薄板補強９内に壁裏配管６を取り付けて構成する。【選択図】  図１
2005054484.tif 000002
【特許請求の範囲】
【請求項１】
裏面に石膏ボード等の裏打ちが設けられている壁パネルにおいて、両端が壁を貫通する配管が通る裏面の部分には、前記裏打ちを設けず、代わりにコの字型等の薄板補強を設け、該薄板補強内に前記配管を取り付けたことを特徴とする壁パネル構造。
【請求項２】
裏面に石膏ボード等の裏打ちが設けられている壁パネルにおいて、両端が壁を貫通する配管が通る裏面の部分には、前記裏打ちを設けず、代わりにコの字型等の薄板補強で補強された壁裏配管を取り付けたことを特徴とする壁パネル構造。
【請求項３】
前記薄板補強と前記壁パネル裏面を接着したことを特徴とする請求項１または請求項２に記載の壁パネル構造。
【請求項４】
前記裏打ちが、くり抜かれていることを特徴とする請求項１または請求項２または請求項３に記載の壁パネル構造。
【発明の詳細な説明】
【技術分野】
【０００１】
本発明は、浴室の壁面を構成する壁パネルの構造に関するものである。
【背景技術】
【０００２】
従来、図６に示すように、ユニットバスの壁面を構成する壁パネル１に、壁付水栓金具２を取り付ける際に、浴槽３の裏側等に躯体側から立ち上げられている立上配管４に対し、図７の縦断面図で示すように、フレキ管５を室内側で接続し、壁パネル１の裏側に壁裏配管６を接続して、この壁裏配管６と水栓金具２を接続している。
従来では、図８の部分拡大図で示すように、壁パネル１の裏側の石膏ボード１ｂよりも更に裏側へ突出して、壁裏配管６が設けられているため、壁裏の突出寸法Ｄが大となり、壁裏に相当のスペースが必要となっている。
【０００３】
しかし、最近では、隣接する部屋またはユニットバス自体の内寸を大きくするために、壁パネル１の裏側のスペースを十分に取ることが困難なものとなっている。
そのため、特許文献１に開示されているように、壁裏配管６を偏平状に形成して、突出寸法Ｄを少なくするようにしている。
【特許文献１】特開２００２−１０６００１号公報
【発明の開示】
【発明が解決しようとする課題】
【０００４】
しかし、壁裏配管６を偏平状にすると、曲がり易く、施工や輸送時に変形する可能性が高く、また、何らかの原因で壁裏配管６内にゴミが入ると、管自体が偏平のために簡単に詰まり易いという問題点があった。
【課題を解決するための手段】
【０００５】
本発明は上記従来の問題点に鑑み案出したものであって、壁裏からの突出寸法を少なくして、ユニットバスと建築躯体との隙間が狭くても、壁付水栓金具２を良好に設置できる壁パネルを提供せんとするものであり、その請求項１は、裏面に石膏ボード等の裏打ちが設けられている壁パネルにおいて、両端が壁を貫通する配管が通る裏面の部分には、前記裏打ちを設けず、代わりにコの字型等の薄板補強を設け、該薄板補強内に前記配管を取り付けたことである。
【０００６】
また、請求項２は、裏面に石膏ボード等の裏打ちが設けられている壁パネルにおいて、両端が壁を貫通する配管が通る裏面の部分には、前記裏打ちを設けず、代わりにコの字型等の薄板補強で補強された壁裏配管を取り付けたことである。
また、請求項３は、前記薄板補強と前記壁パネル裏面を接着したことである。
また、請求項４は、前記裏打ちが、くり抜かれていることである。
【発明の効果】
【０００７】
壁パネルの裏面の配管が通る部分には、裏打ちの代わりに薄板補強を設けて、その中に配管を取り付けるものであるため、配管を偏平状等にすることなく、壁裏の突出寸法を少なくすることができ、ユニットバスと建築躯体との隙間が狭くても、壁付水栓を良好に設置できるものとなる。
また、壁パネルの製造ラインで、壁裏に薄板補強を介して良好に配管を取り付けできるものとなる。
【０００８】
また、壁パネルの裏面の配管が通る部分には、裏打ちの代わりに、コの字型等の薄板補強で補強された壁裏配管を取り付けたことにより、壁裏配管が薄板補強により補強されて、強度が確保されたものとなり、配管組立ラインにおいて、壁裏配管と薄板補強を組み立てることができ、しかも、壁パネルが薄くても配管部分で強度を確保できるものとなる。
また、壁裏配管の径を変えずに、壁裏への突出寸法を抑えることができるものとなる。
【０００９】
また、薄板補強と壁パネル裏面を接着したことにより、薄板補強を容易に壁パネルの裏面に固定できるものとなる。
また、裏打ちが、くり抜かれていることにより、壁パネルの製造時に、または後発的に、壁パネルの裏打ちをくり抜いて良好に製作できるものとなる。
【実施例】
【００１０】
以下、本発明の実施例を図面に基づいて説明する。
図１は、浴室の壁面を構成する壁パネル１を横方向に切断した平面断面構成図であり、また図２は、縦方向に切断した断面構成図である。更に図３は、壁パネルの要部を裏側から見た斜視構成図である。
【００１１】
壁パネル１は、浴室内側の表面材１ａの裏側に、石膏ボード等の裏打ち１ｂが設けられているが、この裏打ち１ｂの所定位置に、裏打ち１ｂの存在しない、くり抜き部１ｃを形成させ、くり抜き部１ｃ内に、断面コの字状の薄板補強９を、表面材１ａの裏側に接着して一体化させたものである。
なお、表面材１ａと薄板補強９には、整合する位置に貫通孔Ｈが形成されている。
【００１２】
この貫通孔Ｈに対し、壁裏配管６の下端に設けられた下端Ｌ部７の接続ネジ部７ａを、裏側から通して、図２に示すように、浴室内側から接続ナット８をこの接続ネジ部７ａに締め付けて、フレキ管５を接続することができ、このフレキ管５は立上配管４に接続されるものである。
【００１３】
なお、図４に斜視図で、また図５に、図４のＡ−Ａ線断面を示すように、コの字状の薄板補強９内に壁裏配管６を取り付けておくことができ、壁裏配管６の下端の下端Ｌ部７と、上端の上端Ｌ部１０を、それぞれ薄板補強９の前面に接続ネジ部７ａ，１０ａのみを突出させて予め取り付けておくことができる。
このように、壁裏配管６の配管組立ラインで、予め薄板補強９内に壁裏配管６を組み付けて、壁裏配管６自体の強度を確保しておき、このような状態で現場へ搬入して、壁パネル１のくり抜き部１ｃに薄板補強９を接着して嵌め込み、壁パネル１に一体化させることもできるものである。
【００１４】
なお、現場で壁パネル１の裏側にくり抜き部１ｃを形成させて、薄板補強９を貼り付け、この薄板補強９内に壁裏配管６を取り付けることもでき、また、工場内で予め壁パネル１の裏側のくり抜き部１ｃに薄板補強９と壁裏配管６を取り付けた状態で、現場へ輸送することもできるものである。
なお、くり抜き部１ｃは、裏打ち１ｂを表面材１ａの裏面全体に貼り付けた後に、くり抜いて形成しても良く、また、表面材１ａに対し裏打ち１ｂを貼り付ける際に、くり抜き部１ｃの部分を避けて、裏打ち１ｂを貼着して形成させたものの何れでも良い。
【００１５】
本例では、コの字状断面の薄板補強９内に壁裏配管６が取り付けられているため、壁裏への突出寸法Ｄ’は、従来よりも小寸法となるため、壁裏配管６を従来のように偏平状等にすることなく、真円の壁裏配管６を用いることができ、ユニットバスの壁面を構成する壁パネル１の裏面と、建築躯体間の隙間が狭い場合にも、良好に壁裏配管６を設けて、室内側に水栓金具２を設置できるものとなる。
【図面の簡単な説明】
【００１６】
【図１】壁パネルの裏側に薄板補強を取り付け、更に、この薄板補強内に壁裏配管を取り付ける状態の平面断面構成図である。
【図２】壁裏配管を取り付けた状態の縦断面構成図である。
【図３】壁パネルの裏側から見た斜視構成図である。
【図４】予め薄板補強内に壁裏配管を取り付けて一体化させた斜視構成図である。
【図５】図４のＡ−Ａ線断面図である。
【図６】浴室の壁パネルに水栓金具を設置した状態の斜視構成図である。
【図７】水栓金具の取付状態を示す従来の配管構造の縦断面構成図である。
【図８】図７の要部の拡大構成図である。
【符号の説明】
【００１７】
１  壁パネル
１ａ  表面材
１ｂ  裏打ち（石膏ボード）
１ｃ  くり抜き部
２  水栓金具
４  立上配管
５  フレキ管
６  壁裏配管
７  下端Ｌ部
７ａ  接続ネジ部
８  接続ナット
９  薄板補強
１０  上端Ｌ部
Ｈ  貫通孔
【図１】
2005054484.tif 000003
【図２】
2005054484.tif 000004
【図３】
2005054484.tif 000005
【図４】
2005054484.tif 000006
【図５】
2005054484.tif 000007
【図６】
2005054484.tif 000008
【図７】
2005054484.tif 000009
【図８】
2005054484.tif 000010